(57)【要約】【課題】鉢植えの花や切り花等の観賞植物を簡単な操作で収容することのできる観賞植物包装用容器を提供すること。【解決手段】この発明の容器Ｃ１は、起立姿勢の観賞植物Ｐの下部を受けるトレー状の受け部材１０と、観賞植物Ｐを受け部材１０ごと収容する筒状の提手付き外箱３０と、を備えている。外箱３０は受け部材１０とは別体である。外箱１０の下面には受け部材１０が出入り可能な開口が設けられている。さらに、この容器Ｃ１は、外箱３０内に収容された受け部材１０の、外箱の下面開口からの脱落を防止する脱落防止手段Ｂを備えている。【選択図】　　　図３
2004051141.tif 000002
【特許請求の範囲】
【請求項１】
起立姿勢の観賞植物（Ｐ）の下部を受ける受け部材（１０）と、前記受け部材（１０）とは別体であって、観賞植物（Ｐ）を前記受け部材（１０）ごと収容する提手付筒状外箱（３０）と、を備え、
前記外箱（３０）の下面に前記受け部材（１０）が出入り可能な開口が設けられる一方、
前記外箱（３０）内に収容された受け部材（１０）の、前記外箱（３０）の下面開口からの脱落を防止する脱落防止手段（Ｂ）を備えていることを特徴とする観賞植物包装用容器。
【請求項２】
前記受け部材（１０）は、底壁（１１）と該底壁（１１）の周縁に略立上り状に連設された周壁（１４）とを有しており、
前記脱落防止手段（Ｂ）は、前記受け部材（１０）の周壁（１４）の上縁に折目（２６）を介して連設されるとともに該折目（２６）から周壁（１４）の外面側に折り返された係止片（１６）と、前記外箱（３０）の周壁（３４）に設けられた内方突出状の被係止部（３６）とからなるとともに、前記外箱（３０）内に前記受け部材（１０）が収容された状態のもとで、前記受け部材（１０）の係止片（１６）が前記外箱（３０）の被係止部（３６）に係止されることにより、前記受け部材（１０）の脱落が防止されるものとなされている請求項１記載の観賞植物包装用容器。
【請求項３】
前記外箱（３０）の周壁（３４）には、複数個の前記被係止部（３６）が高さ方向に所定間隔おきに並んで設けられている請求項２記載の観賞植物包装用容器。
【請求項４】
前記外箱（３０）の周壁（３４）には、前記受け部材（１０）の係止片（１６）が前記外箱（３０）の被係止部（３６）に係止された状態のもとで、前記受け部材（１０）の上方への移動を規制する移動規制部（３７）が設けられている請求項２又は３記載の観賞植物包装用容器。
【請求項５】
前記外箱（３０）は、一枚の板状素片（３１）が筒状に屈曲形成されてなるものであり、且つ、前記素片（３１）を観賞植物（Ｐ）の側面を包囲するように屈曲させて筒状に形成することにより、観賞植物（Ｐ）を収容するものとなされており、
前記素片（３１）は、外箱（３０）を筒状に保持する保持手段（Ｈ）を有している請求項１〜４のいずれか１項記載の観賞植物包装用容器。
【発明の詳細な説明】
【０００１】
【発明の属する技術分野】
この発明は、鉢植えの花や切り花等の観賞植物を持ち運ぶ際に好適に用いられる観賞植物包装用容器に関する。
【０００２】
【従来の技術】
例えば花屋で鉢植えの花を購入した場合、その花は一般に提手付袋のなかに鉢ごと入れられ、購入者が提手を持って持ち運ぶものとなされていた。しかしながら、このように花を袋に入れた状態で持ち運ぶと、その途中で購入者が誤って袋を障害物にぶつけたときに袋のなかの花が損傷する虞があった。
【０００３】
一方、鉢植えの花を入れる入れ物として、上述した袋ではなく、保形性を有する容器が用いられることがある。この容器によれば、そのなかに花を鉢ごと収容することにより、花を該容器で保護し、この状態で容器を持ち運ぶことにより、上述した不具合を回避できるものとなっている。而して、この容器では、鉢植えの花は起立姿勢で収容されていることが望ましい。その理由は次のとおりである。すなわち、鉢植えの花が起立姿勢で収容されているのではなく、横に寝かせられた姿勢で収容されている場合には、鉢のなかの土や水等の内容物がこぼれ出てしまうことはもとより、花が自重で容器内面に強く接触し、持ち運び時の振動で花が擦れて傷付いてしまう等の不具合が生じるからである。
【０００４】
このように花を起立姿勢で収容できる容器として、従来より様々なものが知られている（例えば特開平７−２３２７８２号公報参照）。
【０００５】
【発明が解決しようとする課題】
而して、従来のこの種の容器には次のような難点があった。すなわち、従来の容器では、鉢植えの花を収容するための入口部は容器の上部に設けられていたため、鉢植えの花を容器に収容する際に、鉢を持ってこれを容器の入口部の高さ位置まで持ち上げなければならず、鉢が重い場合には多大な労力を要していた。
【０００６】
しかも、鉢を持ち上げる途中で該鉢を傾けると、そのなかの土や水等の内容物がこぼれ出てしまうので、鉢の姿勢を崩さずに（即ち、花を起立姿勢に維持したままで）持ち上げなければならず、持上げ作業を慎重に行う必要があった。
【０００７】
その上、従来の容器では、上述したように鉢植えの花を収容するための入口部は容器の上部に設けられているが、この入口部から収容した花の鉢を受けるための受け部は容器の底部に設けられていたため、入口部から受け部までの距離が比較的長かった。そのため、鉢を容器の入口部の高さ位置まで持ち上げてこれを入口部に入れたあとで、鉢から手を離してしまうと、鉢が受け部に向かって落下しその衝撃で鉢のなかの内容部が飛び出たり花が傷付いたりすることがあるため、鉢を持ったままでこれを下降させて受け部に静かに載置する必要があり、煩わしい収容操作を行う必要があった。
【０００８】
この発明は、上述した難点を解消するためになされたもので、その目的は、鉢植えの花、切り花、贈呈用の花束等の観賞植物を簡単な操作で収容することのできる観賞植物包装用容器を提供することにある。
【０００９】
【課題を解決するための手段】
上記目的を達成するため、この発明に係る観賞植物包装用容器は、起立姿勢の観賞植物の下部を受ける受け部材と、前記受け部材とは別体であって、観賞植物を前記受け部材ごと収容する提手付筒状外箱と、を備え、前記外箱の下面に前記受け部材が出入り可能な開口が設けられる一方、前記外箱内に収容された受け部材の、前記外箱の下面開口からの脱落を防止する脱落防止手段を備えていることを特徴としている（請求項１）。
【００１０】
この容器では、起立姿勢の観賞植物の下部を受けた受け部材は、テーブル等の台上に載置される。そしてこの状態で、観賞植物が受け部材ごと外箱内に収容される。このとき、外箱の下面に開口が設けられているので、観賞植物の収容操作（包装操作）を容易に行うことができる。その収容操作を例示すると次のとおりである。すなわち、観賞植物の下部を受けた受け部材をテーブル等の台上に載置しておき、この観賞植物に上から外箱を被せることによって、観賞植物を受け部材ごと収容する。あるいは、後述するように、受け部材を同じく台上に載置しておき、次いで外箱を構成する一枚の板状素片をこの観賞植物の側面を包囲するように屈曲させて筒状に形成することにより、観賞植物を受け部材ごと収容する。このように、この容器では、受け部材を持ち上げなくても観賞植物を外箱内に収容することができるので、観賞植物の収容操作（包装操作）を容易に行うことができる。また、容器は脱落防止手段を備えているので、持ち運び時に受け部材が外箱の下面開口から脱落する虞はない。また、外箱は提手付きのものであるから、持ち運びに便利である。
【００１１】
なお、この容器で包装される観賞植物としては、その種類に限定されず、花物、葉物、実物等の観賞植物が例示される。また、この観賞植物は、鉢に植えらていても良いし、切り花や花束であっても良い。
【００１２】
また、受け部材は、その形状に限定されるものではなく、例えば底の深いトレー状であっても良いし、底の浅いトレー状であっても良いし、有底筒状であっても良いし、これら以外の形状であっても良い。また、観賞植物が鉢植えのものである場合には、受け部材は、観賞植物が植えられた鉢であっても良いし、その鉢を収容するトレー状のものであっても良いし、鉢を載置するプレート状のものであっても良い。また、観賞植物が一般に「オアシス」と呼ばれる花止め部材に挿し止められたものである場合には、受け部材はその花止め部材を収容したトレー状のものが好適に用いられる。なお、花止め部材としては、合成樹脂製の吸水スポンジ、ワイヤ、剣山等が用いられる。また、受け部材は、その材質に限定されるものではなく、後述する実施形態に示すように紙製であっても良いし、あるいはプラスチック製であっても良く、またパルプモールド成型品からなるものであっても良い。
【００１３】
また、前記受け部材は、底壁と該底壁の周縁に略立上り状に連設された周壁とを有しており、前記脱落防止手段は、前記受け部材の周壁の上縁に折目を介して連設されるとともに該折目から周壁の外面側に折り返された係止片と、前記外箱の周壁に設けられた内方突出状の被係止部とからなるとともに、前記外箱内に前記受け部材が収容された状態のもとで、前記受け部材の係止片が前記外箱の被係止部に係止されることにより、前記受け部材の脱落が防止されるものとなされていることが望ましい（請求項２）。
【００１４】
この場合には、受け部材の脱落を確実に防止することができる。なお、この発明では、係止片の個数は１個であっても良いし、複数個であっても良い。同じく、被係止部の個数は１個であっても良いし、複数個であっても良い。
【００１５】
また、前記外箱の周壁には、複数個の前記被係止部が高さ方向に所定間隔おきに並んで設けられていることが望ましい（請求項３）。
【００１６】
この場合には、観賞植物の高さに応じて容器の高さを調節することができる。そのため、容器をできる限りコンパクトな状態にして持ち運ぶことができる。
【００１７】
また、前記外箱の周壁には、前記受け部材の係止片が前記外箱の被係止部に係止された状態のもとで、前記受け部材の上方への移動を規制する移動規制部が設けられていることが望ましい（請求項４）。
【００１８】
この場合には、外箱内に収容された受け部材の位置を固定することができ、そため持ち運び時の振動で観賞植物が倒れる不具合を防止することができる。
【００１９】
また、前記外箱は、一枚の板状素片が筒状に屈曲形成されてなるものであり、且つ、前記素片を観賞植物の側面を包囲するように屈曲させて筒状に形成することにより、観賞植物を収容するものとなされており、前記素片は、外箱を筒状に保持する保持手段を有していることが望ましい（請求項５）。
【００２０】
この場合には、観賞植物の収容操作を更に容易に行うことができる。また、外箱をコンパクトな状態で保管することができる。
【００２１】
なお、保持手段としては、例えば、後述する実施形態に示すように、素片の一側縁部に設けられた差込み係止片と、素片の他側縁部に設けられた差込み孔とからなる保持手段であって、差込み係止片が差込み孔内に差込み係止されることにより、外箱を筒状に保持するものとなされたものであっても良いし、あるいは、素片の一側縁部の外面（又は内面）に粘着部が設けられるとともに、この粘着部が素片の他側縁部の内面（又は外面）に接合されることにより、外箱を筒状に保持するものとなされたものであっても良い。
【００２２】
【発明の実施の形態】
次に、この発明の実施形態について図面を参照して説明する。
【００２３】
図１及び図２において、（Ｃ１）はこの発明の第１実施形態に係る観賞植物包装用容器である。この容器（Ｃ１）は、図３及び図４に示すように、観賞植物として切り花（Ｐ）を収容するためのものである。この切り花（Ｐ）は、起立姿勢のままでその下部が花止め部材（Ｋ）に挿されることにより、起立姿勢に保持されている。この花止め部材（Ｋ）は水を含んでいるものであり、例えば吸水スポンジが用いられている。
【００２４】
この容器（Ｃ１）は、比較的底の深いトレー状の受け部材（１０）と、該受け部材（１０）とは別体の角筒状提手付外箱（３０）とを備えている。受け部材（１０）及び外箱（３０）はともに段ボールや厚紙等の紙製のものである。
【００２５】
まず、受け部材（１０）の構成について説明する。
【００２６】
受け部材（１０）は、図３及び図４に示すように、起立姿勢の切り花（Ｐ）を挿し止めた花止め部材（Ｋ）を収容し、これにより切り花（Ｐ）の下部を受けている。この受け部材（１０）は、図９に展開図で示すように、四角形状（詳述すると正方形状）の底壁（１１）と、該底壁（１１）の周縁に折目（２１）（２１）（２１）（２１）を介して外側に傾斜した立上り状に連設された周壁（１４）とを有している。この第１実施形態では、受け部材（１０）の周壁（１４）は、周方向に並んだ前後左右の四側壁（１２）（１２）（１３）（１３）から構成されている。
【００２７】
この受け部材（１０）の四側壁（１２）（１２）（１３）（１３）において、互いに隣接する２個の側壁（１２）（１３）同士は、各側壁の側縁に折目（２２）を介して連設され且つ互いに折半用折目（２３）を介して連結された一対の略三角形状の折半部（１５ａ）（１５ｂ）からなる連結片（１５）が、前記折半用折目（２３）から二つ折り状に折り曲げられた状態で、いずれか一方の側壁（１２）の外面に接着剤で貼着されることにより、連結されている。
【００２８】
さらに、この受け部材（１０）の四側壁（１２）（１２）（１３）（１３）において、図３に示すように、左右両側壁（１３）（１３）の上縁には折目（２６）（２６）を介して脱落防止手段（Ｂ）の一部を構成する係止片（１６）が連設されるとともに、この係止片（１６）が前記折目（２６）から該側壁（１３）の外面側に略垂れ下がり状に折り返されている。この係止片（１６）の基端から先端までの長さ寸法は、側壁（１３）（周壁（１４））の高さ寸法より小寸に設定されている。
【００２９】
一方、図４に示すように、前後両側壁（１２）（１２）の上縁には折目（２５）（２５）を介して立上り片（１７）（１７）が連設されている。この立上り片（１７）は、その内面に切り花（Ｐ）の側面（詳述すると切り花の葉）がぶつかることにより、該切り花（１７）が横方向に広がることを防止するためのものである。この立上り片（１７）の基端から先端までの長さ寸法は、前記係止片（１６）の基端から先端までの長さ寸法より大寸に設定されており、詳述すると側壁（１２）（周壁（１４））の高さ寸法と同寸かあるいはこれより大寸に設定されている。この各立上り片（１７）の上部には提手部としての提手孔（１８）が設けられている。
【００３０】
また、この受け部材（１０）の展開状態において、その内面（換言すると「受け面」）全面には、図３及び図４に示すように、一枚の防水フィルム（Ｆ）が剥離可能な接着剤によって剥離可能に貼着された状態で積層されている。図９において、（Ｔ）はこのフィルム（Ｆ）の貼着部を示している。このフィルム（Ｆ）はＰＥＴ樹脂等のプラスチック製（例えば厚さ２０〜２００μｍ）のものであって、受け部材（１０）の構成材料である紙に水が浸み込むのを防止するためのものである。
【００３１】
次に、外箱（３０）の構成について説明する。
【００３２】
外箱（３０）は、上述したように角筒状のものであって、図３及び図４に示すように、下面が開放されており、すなわち下面に受け部材（１０）が出入り可能な開口が設けられている。この外箱（３０）は、図８に展開図で示すように、所定形状に打抜き形成された一枚の板状素片（３１）が角筒状に屈曲されて形成されたものである。外箱（３０）はこの板状素片（３１）のままで保管され、使用する際に角筒状に組み立てられるものである。
【００３３】
この外箱（３０）の周壁（３４）は、図８に示すように、該周壁（３４）を構成する右側壁（３３）、後側壁（３２）、左側壁（３３）及び前側壁（３２）が相互間に折目（７１）（７２）（７３）を介して横に連設されてなるものである。
【００３４】
この外箱（３０）の周壁（３４）において、右側壁（３２）の側縁には折目（７８）を介して保持手段（Ｈ）の一部を構成する上下一対の舌状第１差込み係止片（３９）（３９）が連設されている。さらに、この第１差込み係止片（３９）の基端部の中央部には保持手段（Ｈ）の一部を構成するスリット状第２差込み孔（４０）が設けられている。一方、前側壁（３２）の側縁には折目（７４）を介して重合片（３５）が連設されている。さらに、この前側壁（３２）の側縁部には、互いに離間し且つ重合片（３５）に向かって略平行状に延びた上下一対の第１切目（４１）（４１）が二組設けられている。さらに、重合片（３５）には各組の一対の第１切目（４１）（４１）の端部を繋いだ略コ字状の第２切目（４２）が設けられている。このように一対の第１切目（４１）（４１）と第２切目（４２）とが設けられることにより、これら切目（４１）（４１）（４２）で囲まれた部位からなる第２差込み係止片（４３）が前側壁（３２）と重合片（３５）とに跨って切り起こし形成されている。この第２差込み係止片（４３）は保持手段（Ｓ）の一部を構成するものである。また、重合片（３５）の各第２差込み係止片（４３）の上下近傍部には、保持手段（Ｈ）の一部を構成するスリット状第１差込み孔（４４）が前記折目（７４）に沿って設けられている。そして、図１に示すように、右側壁（３３）、後側壁（３２）、左側壁（３３）及び前側壁（３２）がそれぞれ折目（７１）（７２）（７３）から折り曲げられるとともに、重合片（３５）が折目（７４）から折り曲げられて右側壁（３３）の側縁部内面に重合されることにより、外箱（３０）（周壁（３４））が角筒状に形成されている。更に、第１差込み係止片（３９）が第１差込み孔（４４）内に差し込まれて係止され、次いで第２差込み係止片（４３）が第２差込み孔（４０）内に差し込まれて係止されることにより、外箱（３０）（周壁（３４））が角筒状に保持されている。
【００３５】
なお、図８おいて、（７９）（８０）は、第２差込み係止片（４３）を第２差込み孔（４０）に差し込む際に折り曲げられる折目である。また、（４５）は、第２差込み孔（４０）内に差し込まれた第２差込み係止片（４３）の引抜き操作用半円状切欠き部である。
【００３６】
この外箱（Ｂ１）の周壁（３４）において、前後両側壁（３２）（３２）の上縁には折目（７５）（７５）を介して上蓋片（４７）（４７）が連設されている。そして、図１及び図２に示すように、両上蓋片（４７）（４７）が折目（７５）（７５）から内側に折り曲げられることにより、外箱（３０）の上面開口が該両上蓋片（４７）（４７）によって閉塞されている。上蓋片（４７）の先端縁には折目（７７）を介して提手片（４８）が連設されている。この提手片（４８）の両端部には略上方突出状の係止突部（４９）（４９）が設けられている。また、両提手片（４８）（４８）のうち一方には提手孔（５０）が設けられ、他方には折目（７７）（７７）の端部同士を繋いだ略コ字状切目（５１）が設けられている。そして、両提手片（４８）（４８）が折目（７７）（７７）から立上り状に折り曲げられて互いに合掌状に重合されることにより、提手片（４８）（４８）が門形状に形成されている。この状態において、前記コ字状折目（５１）で囲まれた部位（５２）は該切目（５１）から切り起こされて対応する上蓋片（４７）の上面に重合されている。
【００３７】
一方、左右両側壁（３３）（３３）の上縁には折目（７６）（７６）を介して略三角形状の保持片（５４）（５４）が連設されている。この保持片（５４）は両上蓋片（４７）（４７）を閉蓋位置に保持するためのものである。この保持片（５４）にはスリット状差込み孔（５５）が設けられている。そして、両提手片（４８）（４８）が合掌状に重合された状態のもとで、保持片（５４）が折目（７６）から提手片（４８）側に折り曲げられて差込み孔（５５）内に係止突部（４９）（４９）が差し込まれることにより、両上蓋片（４７）（４７）が閉蓋位置に保持され、これにより両上蓋片（４７）（４７）が不本意に開かないものとなされている。
【００３８】
また、右側壁（３３）の幅方向中間部と左側壁（３３）の幅方向中間部には、それぞれ、脱落防止手段（Ｂ）の一部を構成する被係止部としての２個の被係止片（３６）（３６）が高さ方向に所定間隔おきに並んで切り起こし形成されている。この被係止片（３６）の構成について詳述すると次のとおりである。すなわち、左右両側壁（３３）（３３）の幅方向中間部には、２個の略門形状の被係止片形成用切目（５６）（５６）が高さ方向に所定間隔おきに並んで設けられるとともに、更に各切目（５６）の両端部同士を繋いだ折目（８１）が設けられ、これにより、前記切目（５６）と折目（８１）とで囲まれた部位からなる被係止片（３６）が形成されている。そして、図６に示すように、この被係止片（３６）を外面側から指先で外箱（３０）内側へ押し込むことにより、被係止片（３６）が切り起こされて折目（８１）から内方突出状に折り曲げられるものとなされている。
【００３９】
さらに、左右両側壁（３３）（３３）における各被係止片（３６）の上側近傍部には、移動規制部としての左右一対の移動規制片（３７）（３７）が切り起こし形成されている。この移動規制片（３７）の構成について詳述すると次のとおりである。すなわち、左右両側壁（３３）（３３）における各被係止片（３７）の上側近傍部には、前記切目（５６）の上辺部を下縁とする横長幅狭の長孔（５７）が設けられている（図１参照）。さらに、この長孔（５７）の上側近傍部には、水平方向に延びた移動規制片形成用横切目（５８）と、該横切目（５８）の長さ方向中間部から前記長孔（５７）に向かって下方に延びた移動規制片形成用縦切目（５９）と、前記横切目（５８）の両端部から長孔（５７）に向かって下方に延びた折目（８２）（８２）とが設けられ、これにより、横切目（５８）と縦切目（５９）と折目（８２）（８２）と長孔（５７）の上縁とで囲まれた部位からなる左右一対の移動規制片（３７）（３７）が形成されている。そして、この一対の移動規制片（３７）（３７）を外面側から指先で外箱（３０）内側へ押し込むことにより、該両移動規制片（３７）（３７）が切り起こされて折目（８２）（８２）から内方突出状に折り曲げられるものとなされている。
【００４０】
また、図２に示すように、後側壁（３２）には、その上縁の両端部から略斜め下方に延びた左右一対の破断用切目線（６０）（６０）が該後壁部（３２）の高さ方向全域に亘って設けられ、これにより、該両破断用切目線（６０）（６０）間に一般に「ジッパー」と呼ばれる帯状の遊離予定部（６１）が形成されている。各破断用切目線（６０）は、交互に並んだ複数個の切目（６０ａ）及び連結部（６０ｂ）からなる。この遊離部予定部（６１）を遊離させることにより、外箱（３０）が展開状態に解体されるものとなされている。
【００４１】
次に、この容器（Ｃ１）の使用方法について説明する。
【００４２】
ます、図５に示すように、起立姿勢の切り花（Ｐ）を挿し止めた花止め部材（Ｋ）を収容した受け部材（１０）を、テーブル等の台（図示せず）上に載置する。そして、受け部材（１０）の立上り片（１７）（１７）を立上り状に折目（２５）（２５）から折り曲げることにより、該立上り片（１７）（１７）で切り花（Ｐ）の葉が横方向に広がるのを防止するとともに、係止片（１６）（１６）を略垂れ下がり状に強制的に折り返した状態で、外箱（３０）の構成する板状素片（３１）を、切り花（Ｐ）の側面を包囲するように屈曲させて筒状に形成し、これにより切り花（Ｐ）を受け部材（１０）ごと収容するとともに、重合片（３５）を折目（７４）から折り曲げて右側壁（３３）の側縁部内面に重合させる。次いで、第１差込み係止片（３９）を第１差込み孔（４４）内に差し込んで係止させる。さらに、第２差込み係止片（４３）を第２差込み孔（４０）内に差し込んで係止させる。これにより、前側壁（３２）と右側壁（３３）とが互いに連結され、外箱（３０）（周壁（３４））が角筒状に保持される。この状態において、受け部材（１０）の係止片（１６）（１６）は、自己の弾性復元力によって外側へ開こうとするが、その先端部が外箱（３０）の左右両側壁（３３）（３３）の内面にぶつかるため、係止片（１６）（１６）の先端部が外箱（３０）の左右両側壁（３３）（３３）の内面に当接した状態に保持される。
【００４３】
次いで、図６に示すように、切り花（Ｐ）の高さに応じて外箱（３０）の上下２段の被係止片（３６）（３６）のうち一つを選択する。この第１実施形態では、切り花（Ｐ）の高さは比較的高いことから、下段の被係止片（３６）を選択することにする。この選択した被係止片（３６）を外面側から指先で外箱（３０）内側へ押し込む。これにより、被係止片（３６）が切り起こされて、受け部材（１０）の係止片（１６）（１６）の先端部よりも下側の位置において該被係止片（３６）（３６）が折目（８１）（８１）から内方突出状に折り曲げられる。
【００４４】
次いで、外箱（３０）の上蓋片（４７）（４７）を折目（７５）（７５）から内側に折り曲げることにより、外箱（３０）の上面開口を該上蓋片（４７）（４７）で閉塞する。さらに、提手片（４８）（４８）同士を合掌状に重合させることにより、門形状の提手片（４８）（４８）を上蓋片（４７）（４７）に立上り状に形成する。次いで、保持片（５４）（５４）を折目（７６）（７６）から提手片（４８）（４８）側に折り曲げて差込み孔（５５）（５５）内に係止突部（４９）（４９）を差し込むことにより、両上蓋片（４７）（４７）を閉蓋位置に保持する。これにより、両上蓋片（４８）（４８）が不本意に開かないようロックされる。
【００４５】
次いで、外箱（３０）を上方に少し移動させる。すると、図３に示すように、受け部材（１０）の係止片（１６）（１６）が、外箱（３０）の左右両側壁（３３）（３３）と被係止片（３６）（３６）との間に嵌り込み、これにより係止片（１６）（１６）が被係止片（３６）（３６）に係止される。この結果、受け部材（１０）の、外箱（３０）の下面開口からの脱落が防止される。
【００４６】
次いで、上下２段の移動規制片（３７）（３７）のうち下段の移動規制片（３７）を外面側から指先で外箱（３０）内側へ押し込む。これにより、図１及び図３に示すように、移動規制片（３７）が切り起こされて、受け部材（１０）の左右両側壁（１３）（１３）の上縁よりも若干上側の位置において該移動規制片（３７）が折目（８２）から内方突出状に折り曲げられる。そのため、受け部材（１０）が上方へ移動しようとしても、その左右両側壁（１３）（１３）の上縁が移動規制片（３７）にぶつかるものとなり、この結果、受け部材（１０）の上方への移動が移動規制片（３７）によって規制され、受け部材（１０）の位置が固定されるとともに、受け部材（１０）の係止片（１６）（１６）が係止状態に保持される。
【００４７】
以上の状態にしてから、提手片（４８）（４８）を持って容器（Ｃ１）を持ち運ぶ。このとき、受け部材（１０）の係止片（１６）（１６）が外箱（３０）の被係止片（３６）（３６）に係止されることにより、受け部材（１０）の、外箱（３０）の下面開口からの脱落が防止されているので、持ち運び時に受け部材（１０）が外箱（３０）の下面開口から落下する虞れはない。
【００４８】
さらに、移動規制片（３７）（３７）によって受け部材（１０）の上方への移動が規制されているので、受け部材（１０）の位置が固定されており、そのため、持ち運び時の振動で切り花（Ｐ）が倒れる不具合を確実に防止することができて、切り花（Ｐ）を起立姿勢にしたままで確実に持ち運ぶことができる。
【００４９】
また、この容器（Ｃ１）によれば、受け部材（１０）を持ち上げることなく外箱（３０）内に収容することができるから、収容操作を容易に行うことができる。
【００５０】
而して、外箱（３０）内から切り花（Ｐ）を取り出す場合には、図２に鎖線で示すように、外箱（３０）の後側壁（３２）に設けられた帯状の遊離予定部（６１）の下端部を摘み、ここから遊離予定部（６１）を引き剥がして遊離させる。これにより、外箱（３０）が展開状態に解体される。この状態にしてから切り花（Ｐ）を受け部材（１０）ごと取り出す。このように、この第１実施形態の容器（Ｃ１）では、外箱（１０）の周壁（３４）に、該外箱（１０）を展開状態に解体するための遊離予定部（６１）等の破断用切目線（６０）が設けられているので、切り花（Ｐ）を容易に取り出すことができる。
【００５１】
なお、この第１実施形態の容器（Ｃ１）では、外箱（３０）の第１及び第２差込み係止片（３９）（４３）をそれぞれ対応する差込み孔（４４）（４０）から順次引き抜くことにより、外箱（３０）を展開し、この展開状態にしてから切り花（Ｐ）を受け部材（１０）ごと取り出しても良いことはもちろんである。
【００５２】
こうして外箱（３０）内から取り出された切り花（Ｐ）は、受け部材（１０）で受けられた状態のまま所望する場所に載置されて飾られる。すなわち、受け部材（１０）は花器として利用される。この際、受け部材（１０）の立上り片（１７）（１７）には提手部としての提手孔（１８）（１８）が設けられているので、この提手孔（１８）（１８）に手を掛けて受け部材（１０）を所望する場所へ移動させることができる。なお、受け部材（１０）をそのまま花器として利用するのではなく、切り花（Ｐ）を花止め部材（Ｋ）から引き抜いてお好みの花器に挿し替えても良いことはもちろんである。
【００５３】
受け部材（１０）を廃棄する場合には、まず受け部材（１０）を強制的に解体したのち、その内面に積層されたフィルム（Ｆ）を引き剥がして分離する。このとき、フィルム（Ｆ）は受け部材（１０）の内面に剥離可能に接着されていることから、該フィルム（Ｆ）を容易に引き剥がすことができる。このようにフィルム（Ｆ）を引き剥がすことにより、受け部材（１０）を紙の部分とプラスチックの部分とに分別して廃棄することができる。
【００５４】
而して、切り花（Ｐ）の高さが低い場合には、図７に示すように、外箱（３０）の左右両側壁（３３）（３３）に設けられた上下２段の被係止片（３６）（３６）のうち、上段の被係止片（３６）を選択する。そして、この選択した被係止片（３６）に対して上述した係止操作と同じ操作を行うことにより、この被係止片（３６）に受け部材（１０）の係止片（１６）を係止させる。また、上段の移動規制片（３７）に対して上述した規制操作と同じ操作を行うことにより、受け部材（１０）の上方への移動を規制する。こうして切り花（Ｐ）を受け部材（１０）ごと外箱（３０）内に収容してから、容器（Ｃ１）を持ち運ぶ。このとき、容器全体の高さは、上記の場合よりも低くなっている。したがって、容器（Ｃ１）を容易に持ち運ぶことができる。なお、他の収容操作は上述した操作と同じであり、重複する説明を省略する。
【００５５】
以上で説明したように、この第１実施形態に係る容器（Ｃ１）では、外箱（３０）の周壁（３４）に上下２段の被係止片（３６）（３６）が設けられていることから、高さの高い切り花（Ｐ）を収容する場合には、下段の被係止部（３６）に係止片（１６）を係止させることにより、容器（Ｃ１）の高さを高くすることができ、一方、高さの低い切り花（Ｐ）を収容する場合には、上段の被係止部（３６）に係止片（１６）を係止させることにより、容器（Ｃ１）の高さを低くすることができる。このようにこの容器（Ｃ１）によれば、切り花（Ｐ）の高さに応じて容器（Ｃ１）の高さを調節することができる。そのため、切り花（Ｐ）の高さに応じて容器（Ｃ１）をできる限りコンパクトな状態にして持ち運ぶことができる。
【００５６】
図１０において、（Ｃ２）はこの発明の第２実施形態に係る観賞植物包装用容器である。これらの図には、上記第１実施形態に係る容器（Ｃ１）と同じ構成要素に同一の符号が付されており、以下、この第２実施形態に係る容器（Ｃ２）を上記第１実施形態に係る容器（Ｃ１）との相異点を中心に説明する。
【００５７】
この容器（Ｃ２）では、受け部材（１０）は、上記第１実施形態に係る容器（Ｃ２）の受け部材（１０）と同一構成である。
【００５８】
一方、この容器（Ｃ２）の外箱（３０）の周壁（３４）において、図１２に展開図で示すように、前側壁（３２）の側縁には折目（８４）を介して貼着片（８５）が連設されている。そして、この貼着片（８５）が折目（８４）から折り曲げられて右側壁（３３）の側縁部内面に接着剤で貼着されることにより、外箱（３０）が角筒状に形成されている。この状態のままで外箱（３０）が保管される。
【００５９】
また、左右両側壁（３３）（３３）の下縁には折目（８６）（８６）を介して被係止部としての被係止片（３６）（３６）が連設されるとともに、図１０及び図１１に示すように、この被係止片（３６）（３６）が折目（８６）（８６）から側壁（３３）（３３）の内面側に折り返されて該側壁（３３）（３３）の下端部内面に重合状態に貼着されている。こうして被係止片（３６）（３６）が貼着されることにより、該被係止片（３６）（３６）はその肉厚分だけ内方側に突出した状態（即ち内方突出状）に形成されている。またこれと同じく、前後両側壁（３２）（３２）の下縁には折目（８６）（８６）を介して被係止片（３６）（３６）が連設されるとともに、この被係止片（３６）（３６）が折目（８６）（８６）から側壁（３２）（３２）の内面側に折り返されて該側壁（３２）（３２）の下端部内面に重合状態に貼着されている。
【００６０】
また、左右両側壁（３３）（３３）の幅方向中間部における被係止片（３６）（３６）の上端位置よりも上側の部分には、移動規制部としての左右一対の移動規制片（３７）（３７）が切り起こし形成されている。この移動規制片（３７）の構成について詳述すると次のとおりである。すなわち、左右両側壁（３３）（３３）の幅方向中間部の上記部分には、互いに略平行状に略水平方向に延びた上下一対の移動規制片形成用横切目（８７）（８７）と、該両横切目（８７）（８７）の長さ方向中間部同士を繋いだ移動規制片形成用縦切目（８８）と、前記両横切目（８７）（８７）の両端部同士を繋いだ折目（８９）（８９）とが設けられ、これにより、両横切目（８７）（８７）と縦切目（８８）と折目（８９）（８９）とで囲まれた部位からなる左右一対の移動規制片（３７）（３７）が形成されている。そして、この一対の移動規制片（３７）（３７）を外面側から指先で外箱（３０）内側へ押し込むことにより、該両移動規制片（３７）（３７）が切り起こされて折目（８９）（８９）から内方突出状に折り曲げられるものとなされている。
【００６１】
さらに、この外箱（Ｃ２）の周壁（３４）における被係止片（３６）（３６）（３６）（３６）の上端位置よりも上側の部分には、右側壁（３３）の移動規制片（３７）の上下一対の横切目（８７）（８７）と左側壁（３３）の移動規制片（３７）の上下一対の横切目（８７）（８７）とを繋ぐ態様に延びた上下一対の破断用切目線（９０）（９０）が設けられ、これにより、該両破断用切目線（９０）（９０）間に帯状の遊離予定部（９１）が形成されている。各破断予定線（９０）は、交互に並んだ複数個の切目（９０ａ）及び連結部（９０ｂ）からなる。この遊離予定部（９１）を遊離させることにより、外箱（３０）が上下に分割されるものとなされている。
【００６２】
次に、この容器（Ｃ２）の使用方法について説明する。
【００６３】
まず、図１１に示すように、起立姿勢の切り花（Ｐ）を挿し止めた花止め部材（Ｋ）を収容した受け部材（１０）を、テーブル等の台（図示せず）上に載置する。そして、受け部材（１０）の立上り片（１７）（１７）で切り花（Ｐ）の葉が横方向に広がるのを防止するとともに、係止片（１６）（１６）を略垂れ下がり状に強制的に折り返した状態で、同図に示すように外箱（３０）を切り花（Ｐ）に上から被せ、これにより切り花（Ｐ）を受け部材（１０）ごと収容する。この状態において、係止片（１６）（１６）は、自己の弾性復元力によって外側へ開こうとするが、その先端部が外箱（３０）の左右両側壁（３３）（３３）の内面にぶつかるため、係止片（１６）（１６）の先端部が左右両側壁（３３）（３３）の内面に当接した状態に保持される。
【００６４】
次いで、外箱（３０）を上方に少し移動させる。すると、図１０に示すように、受け部材（１０）の係止片（１６）（１６）の先端部に被係止部（３６）（３６）の上端部（上端面）が衝合し、これにより、係止片（１６）（１６）が被係止片（３６）（３６）に係止される。この結果、受け部材（１０）の、外箱（３０）の下面開口からの脱落が防止される。
【００６５】
次いで、移動規制片（３７）を指先で外箱（３０）内側へ押し込む。これにより、移動規制片（３７）が切り起こし形成されて、受け部材（１０）の左右両側壁（１３）（１３）の上縁よりも若干上側の位置において該移動規制片（３７）が折目（８９）から内方突出状に折り曲げられる。これにより、受け部材（１０）の上方への移動が移動規制片（３７）によって規制される。
【００６６】
以上の状態にしてから、提手片（４８）を持って容器（Ｃ２）を持ち運ぶ。
【００６７】
而して、この第２実施形態に係る容器（Ｃ２）において、外箱（３０）内から切り花（Ｐ）を取り出す場合には、移動規制片（３７）を外箱（３０）内側へ押し込むことにより形成された孔に指を差し込み、ここから帯状の遊離予定部（９１）を引き剥がして遊離させる。これにより、外箱（３０）が上下に分割される。次いで、切り花（Ｐ）を受け部材（１０）ごと外箱（３０）内から取り出す。このとき、外箱（３０）は上下に分割されているから、切り花（Ｐ）を容易に取り出すことができる。
【００６８】
以上、この発明の実施形態について説明したが、この発明に係る容器は上記実施形態に係るものに限定されるものではなく、様々に設定変更したり組み合わせたりすることが可能である。
【００６９】
例えば、上記第１実施形態では、被係止部（３６）及び移動規制部（３７）は、外箱（３０）の左右両側壁（３３）（３３）に設けられているが、この発明では、外箱（３０）の全ての側壁（３２）（３２）（３３）（３３）に設けられていても良い。
【００７０】
また、上記第１実施形態では、外箱（３０）の左右両側壁（３３）（３３）には２個の被係止部（３６）（３６）が高さ方向に所定間隔おきに並んで設けられているが、この発明では、３個又はこれ以上の個数の被係止部が高さ方向に所定間隔おきに並んで設けられていても良い。
【００７１】
また、上記実施形態では、フィルム（Ｆ）は、プラスチック製のものであるが、この発明では、生分解性材料製のものであっても良い。
【００７２】
また、外箱（３０）の周壁（３４）には、外箱（３０）内に収容された観賞植物を外から見ることができるように覗き窓（図示せず）が設けられていても良いし、この覗き窓に透明フィルム（図示せず）が張られていても良い。
【００７３】
【発明の効果】
上述の次第で、この発明に係る観賞植物包装用容器によれば（請求項１）、外箱の下面に受け部材が出入り可能な開口が設けられているので、観賞植物を外箱内に収容する際に必ずしも受け部材を持ち上げる必要がなく、そのため観賞植物の収容操作を容易に行うことができる。さらに、この容器は脱落防止手段を備えているので、持ち運び時に受け部材が外箱の下面開口から脱落する虞はない。もとより、外箱は提手付のものであるから、提手を持って持ち運ぶことができる。
【００７４】
また、受け部材は、底壁と所定の周壁とを有しており、脱落防止手段は、受け部材の所定部位に設けられた係止片と、外箱の所定部位に設けられた被係止部とからなるとともに、外箱内に受け部材が収容された状態のもとで、受け部材の係止片が外箱の被係止部に係止されることにより、受け部材の脱落が防止されるものとなされている場合には（請求項２）、受け部材の脱落を確実に防止することができる。
【００７５】
また、外箱の周壁に、複数個の被係止部が高さ方向に所定間隔おきに並んで設けられている場合には（請求項３）、観賞植物の高さに応じて容器の高さを調節することができ、そのため、容器をできる限りコンパクトな状態にして持ち運ぶことができる。
【００７６】
また、外箱の周壁には、受け部材の係止片が外箱の被係止部に係止された状態のもとで、受け部材の上方への移動を規制する移動規制部が設けられている場合には（請求項４）、受け部材の位置を固定することができて、持ち運び時の振動で観賞植物が倒れる不具合を防止することができる。
【００７７】
また、外箱は、一枚の板状素片が筒状に屈曲形成されてなるものであり、且つ、素片を観賞植物の側面を包囲するように屈曲して筒状に形成することにより、観賞植物を収容するものとなされており、素片は、これを筒状に保持する保持手段を有している場合には（請求項５）、観賞植物の収容操作を更に容易に行うことができるし、外箱をコンパクトな状態で保管することができる。
【図面の簡単な説明】
【図１】この発明の第１実施形態に係る観賞植物包装用容器の斜視図である。
【図２】同容器を反対側から見た斜視図である。
【図３】図１中のＩＩＩ−ＩＩＩ線断面図である。
【図４】図１中のＩＶ−ＩＶ線断面図である。
【図５】同容器により観賞植物を収容する途中の状態で示す要部斜視図である。
【図６】同容器において係止片の被係止部への係止操作を示す斜視図である。
【図７】同容器において受け部材の係止片が他の被係止部に係止された状態を示す、図３に対応する断面図である。
【図８】同容器の外箱を内面側から見た展開図である。
【図９】同容器の受け部材を内面側から見た展開図である。
【図１０】この発明の第２実施形態に係る観賞植物包装用容器を示す、図３に対応する断面図である。
【図１１】同容器により観賞植物を収容する途中の状態で示す断面図である。
【図１２】同容器の外箱を内面側から見た展開図である。
【符号の説明】
Ｃ１、Ｃ２…観賞植物包装用容器
１０…受け部材
１２、１２…前後の側壁
１３、１３…左右の側壁
１４…周壁
１６…係止片（係止部）
３０…外箱
３１…素片
３２、３２…前後の側壁
３３、３３…左右の側壁
３４…周壁
３６…被係止片（被係止部）
３７…移動規制片（移動規制部）
４８…提手片（提手）
Ｐ…切り花（観賞植物）
Ｋ…花止め部材
Ｂ…脱落防止手段
Ｈ…保持手段
【図１】
2004051141.tif 000003
【図２】
2004051141.tif 000004
【図３】
2004051141.tif 000005
【図４】
2004051141.tif 000006
【図５】
2004051141.tif 000007
【図６】
2004051141.tif 000008
【図７】
2004051141.tif 000009
【図８】
2004051141.tif 000010
【図９】
2004051141.tif 000011
【図１０】
2004051141.tif 000012
【図１１】
2004051141.tif 000013
【図１２】
2004051141.tif 000014